(57)【要約】【課題】スライドプレートを引き出した際、スライドプレート上側縁上方の隙間をなくし、遮光面積を拡大したスライドプレート付きサンバイザを提供する。【解決手段】スライドプレート３０の背面側にサブプレート４０を回動可能に組み付け、スライドプレート３０をサンバイザ本体２０の格納用凹部２３内に格納したときは、スライドプレート３０の外形寸法内にサブプレート４０が収まり、スライドプレート３０をサンバイザ本体２０の格納用凹部２３から外部に引き出した際、スライドプレート３０の上側縁から外方にはみ出すようにコイルバネ５０，５１のバネ力が作用して、サブプレート４０がスライドプレート３０と連動することで、遮光面積の拡大を図る。【選択図】　図２
2004050940.tif 000002
【特許請求の範囲】
【請求項１】
所望の遮光面積を備えたサンバイザ本体（２０）が回動用シャフト（２１）を介して、車体側に回動自在に支承されるとともに、このサンバイザ本体（２０）の格納用凹部（２３）内に引き出し自在にスライドプレート（３０）が収納され、このスライドプレート（３０）の引き出し操作により、サンバイザ本体（２０）の長手方向に遮光面積を拡大できるスライドプレート付きサンバイザ（１０）において、
前記スライドプレート（３０）の一面にサブプレート（４０）が重合され、かつサブプレート（４０）がスライドプレート（３０）の上側縁から外方にはみ出すようにバネ部材（５０，５１）によりバネ付勢された状態で回動可能に支持され、サンバイザ本体（２０）の格納用凹部（２３）内に格納するときは、バネ部材（５０，５１）を圧縮状態にし、スライドプレート（３０）の外形寸法内にサブプレート（４０）が収まるように格納し、格納用凹部（２３）からスライドプレート（３０）を外方に引き出し操作した際、バネ部材（５０，５１）のバネ力により、スライドプレート（３０）と連動してサブプレート（４０）が回動し、スライドプレート（３０）の上側縁からサブプレート（４０）がはみ出し、遮光範囲を拡大できるようにしたことを特徴とするスライドプレート付きサンバイザ。
【請求項２】
前記スライドプレート（３０）は、中空ケース状に成形され、中空ケース状のスライドプレート（３０）内にバネ付勢されたサブプレート（４０）が回動可能に収納されていることを特徴とする請求項１に記載のスライドプレート付きサンバイザ。
【請求項３】
前記中空ケース状のスライドプレート（３０）は、分割プレート（３０Ａ，３０Ｂ）を接合することにより形成されることを特徴とする請求項２に記載のスライドプレート付きサンバイザ。
【請求項４】
前記分割プレート（３０Ａ，３０Ｂ）は、樹脂成形体から構成され、薄肉ヒンジ部（３９）により重ね合わせ可能に一体化されていることを特徴とする請求項３に記載のスライドプレート付きサンバイザ。
【発明の詳細な説明】
【０００１】
【発明の属する技術分野】
この発明は、太陽光線等を有効に遮蔽できるスライドプレート付きサンバイザに係り、特に、スライドプレートと連動するサブプレートを設けることで、遮光面積を拡大させたスライドプレート付きサンバイザに関する。
【０００２】
【従来の技術】
通常、車両の運転席及び助手席側の斜め上方には、太陽光線や夜間対向車のライト等を有効に遮蔽できるように車両用サンバイザが設けられている。ところで、最近では、天井面にコンパクトに格納できるとともに、特に、サイドウインドウ越しの太陽光線を遮蔽する際に、広い遮光面積を確保できるように、図９に示すスライドプレート付きサンバイザ１が多用される傾向にある。
【０００３】
上記スライドプレート付きサンバイザ１は、所望の遮光面積を有するサンバイザ本体２の内部にスライドプレート３が引き出し自在に収納され、サンバイザ本体２は回動用シャフト２ａにより回動自在に支承され、この回動用シャフト２ａは、ブラケット２ｂに挿通され、ブラケット２ｂが図示しない車体天井側にビス等により固着されている。
【０００４】
従って、サンバイザ本体２は、回動用シャフト２ａ廻りに上下方向に回動操作できるとともに、ブラケット２ｂ廻りに回動用シャフト２ａを回動操作することにより、左右方向に回動可能であり、フロントウインドウはもとより、サイドウインドウ側からも遮蔽が可能である。尚、図９は、サンバイザ本体２をサイドウインドウ側に回動操作したものを車室内側から見た正面図である。
【０００５】
更に、上記スライドプレート付きサンバイザ１におけるスライドプレート３は、樹脂板、あるいは樹脂板の表面にクロス等の表皮をラミネートした構成であり、図示はしないが、スライドプレート３のガイド機構として、サンバイザ本体２の格納用凹部４内には、スライドプレート３の両面に当接支持するガイドリブが長手方向に沿って設けられ、このガイドリブにより、スライドプレート３がスライド自在に当接支持されるという構成が一般的である。
【０００６】
【発明が解決しようとする課題】
このように、従来のスライドプレート付きサンバイザ１は、サイドウインドウ側に展開操作した後、サンバイザ本体２に格納されているスライドプレート３を開口４ａから外側に引き出し、図１０に示すように、サンバイザ本体２の遮光面積に対してスライドプレート３の遮光面積を付加することで、トータルとしての遮光面積を拡大するというものであるが、図示するように、サンバイザ本体２の縦幅（図中ａで示す）に対してスライドプレート３の縦幅（図中ｂで示す）が短寸であるため、図中ｃで示す寸法分の隙が生じ、この隙を通して直射日光がサイドウインドウ越しに入射することで、十分な遮蔽効果を確保できるとは云い難いものであった。
【０００７】
この発明は、このような事情に鑑みてなされたもので、スライドプレート付きサンバイザにおいて、スライドプレートの幅寸法の制約を解消でき、遮光面積を拡大して、乗員の安全走行に大きく貢献できるスライドプレート付きサンバイザを提供することを目的とする。
【０００８】
【課題を解決するための手段】
上記目的を達成するために、本願発明は、所望の遮光面積を備えたサンバイザ本体が回動用シャフトを介して、車体側に回動自在に支承されるとともに、このサンバイザ本体の格納用凹部内に引き出し自在にスライドプレートが収納され、このスライドプレートの引き出し操作により、サンバイザ本体の長手方向に遮光面積を拡大できるスライドプレート付きサンバイザにおいて、前記スライドプレートの一面にサブプレートが重合され、かつサブプレートがスライドプレートの上側縁から外方にはみ出すようにバネ部材によりバネ付勢された状態で回動可能に支持され、サンバイザ本体の格納用凹部内に格納するときは、バネ部材を圧縮状態にし、スライドプレートの外形寸法内にサブプレートが収まるように格納し、格納用凹部からスライドプレートを外方に引き出し操作した際、バネ部材のバネ力により、スライドプレートと連動してサブプレートが回動し、スライドプレートの上側縁からサブプレートがはみ出し、遮光範囲を拡大できるようにしたことを特徴とする。
【０００９】
ここで、サンバイザ本体は、バイザコアの外表面をバイザ表皮により被包して構成され、バイザコアとしては、射出成形体からなる中空芯材や、フレーム状のワイヤフレームをインサートした発泡ビーズ成形体等が使用できる。射出成形体からなる中空芯材を使用すれば、スライドプレートを収納する収納スペース内に、スライドプレートをガイドするガイドリブを一体に形成できるが、発泡ビーズ成形体等のバイザコアを使用する場合は、中空状で、内面にガイドリブを設けたケース体をインサートすれば良い。
【００１０】
一方、サンバイザ本体内部にスライド自在に格納されるスライドプレートは、ポリプロピレン（以下、ＰＰという）等、汎用の合成樹脂の射出成形体が使用できる。また、スライドプレートに組み付けられるサブプレートについても、ＰＰ樹脂等の合成樹脂の射出成形体からなる板状のものを使用する。
【００１１】
更に、スライドプレートの一面側（見栄え上を考慮して背面側）に重合されるサブプレートは、スライドプレートの上側縁から外部にはみ出すように、各種コイルバネ，トーションバネ等のバネ部材によりバネ付勢された状態で回動可能に組み付けられている。
【００１２】
そして、本発明に係るスライドプレート付きサンバイザによれば、スライドプレートがサンバイザ本体内部に格納された状態においては、サブプレートは、スライドプレートの縁部からはみ出すことがないように、スライドプレートの一面側に重合した状態で格納されており、サンバイザ本体の開口からスライドプレートを引き出し操作した際、スライドプレートとサブプレートとの間に設けたバネ部材のバネ力が作用して、サブプレートは、支持部を中心にスライドプレートの上側縁から外部にはみ出すように回動する。従って、従来、隙となっていたスライドプレート上縁部分の上方位置をサブプレートにより遮蔽することができ、遮光面積を拡大させることができる。
【００１３】
更に、本発明に係るスライドプレート付きサンバイザの別の実施態様によれば、スライドプレートを中空ケース状に成形し、この中空ケース状の内部にサブプレートを回動可能に収納する構成とした。従って、スライドプレートに対するサブプレートの支持を確実に行なえるとともに、車内側及び車外側の両方向からスライドプレートの機構部が見えないため、見栄え上も好ましい。
【００１４】
【発明の実施の形態】
以下、本発明に係るスライドプレート付きサンバイザの好適な実施の形態について、添付図面を参照しながら詳細に説明する。
【００１５】
図１乃至図５は本発明に係るスライドプレート付きサンバイザの第１実施形態を示すもので、図１はスライドプレート付きサンバイザにおけるスライドプレート格納時にサイドウインドウ側に展開操作した状態を示す正面図、図２は同スライドプレート付きサンバイザにおけるスライドプレート引き出し時の正面図、図３は同スライドプレート付きサンバイザにおけるスライドプレートとサブプレートとの関係を示す分解斜視図である。また、図４，図５は第１実施形態の変形例を示すもので、図４は同スライドプレート付きサンバイザにおけるスライドプレートとサブプレートとの関係を示す分解斜視図、図５はスライドプレート付きサンバイザにおけるスライドプレート引き出し時の状態を示す正面図である。
【００１６】
更に、図６乃至図８は本発明の第２実施形態を示すもので、図６はスライドプレート付きサンバイザにおけるスライドプレートとサブプレートとの関係を示す斜視図、図７はスライドプレート付きサンバイザにおけるスライドプレートとサブプレートとの関係を示す断面図、図８はスライドプレートとサブプレートとの関係を示す変形例の斜視図である。
【００１７】
図１乃至図５において、本発明の第１実施形態について説明する。図面において、本発明に係るスライドプレート付きサンバイザ１０は、所望の遮光面積を有するサンバイザ本体２０と、このサンバイザ本体２０内部に格納され、サンバイザ本体２０の長手方向に沿って遮光面積を拡大できるように引き出し可能なスライドプレート３０と、このスライドプレート３０に組み付けられ、スライドプレート３０の幅寸法の制約により、従来では遮蔽が困難であったエリアを有効に遮蔽できるように、スライドプレート３０に回動可能に支持されたサブプレート４０とから大略構成されている。尚、図１はスライドプレート３０及びサブプレート４０がサンバイザ本体２０内部に格納された状態でサイドウインドウ側に展開した場合を示し、図２はサイドウインドウ面に沿ってスライドプレート３０を引き出した状態を示す正面図である。
【００１８】
更に詳しくは、サンバイザ本体２０は、Ｌ字状の回動用シャフト２１により回動可能に支承され、この回動用シャフト２１は、ブラケット２２に挿通され、このブラケット２２を車体天井側にビス等により取付固定することにより、車体側にサンバイザ本体２０が取り付けられる。
【００１９】
従って、サンバイザ本体２０をシャフト２１の軸廻りに回動操作することにより、サンバイザ本体２０を上下方向に回動操作できるとともに、回動用シャフト２１をブラケット２２廻りに回動操作することにより、左右方向に回動操作できる。
【００２０】
また、図示はしないが、サンバイザ本体２０は、サンバイザコアの外表面をサンバイザ表皮により被包して構成され、サンバイザコアとしては、ＰＰ樹脂等、汎用樹脂の射出成形芯材や、ＰＰビーズ発泡成形体等が使用でき、サンバイザ表皮は、織布、不織布シート、合成樹脂シート等が使用できる。
【００２１】
更に、サンバイザ本体２０には、スライドプレート３０及びサブプレート４０を格納できる格納用凹部２３が形成されており、スライドプレート３０を引き出す際、ガイド機能を果たすように、格納用凹部２３の内面には、ガイドリブ２４（図７参照）が形成されているとともに、開口２３ａを通して格納用凹部２３からスライドプレート３０並びにサブプレート４０が外部に引き出される。
【００２２】
図２はスライドプレート３０をサンバイザ本体２０の格納用凹部２３の開口２３ａを通して外部に引き出した状態を示している。そして、本発明に係るスライドプレート付きサンバイザ１０は、スライドプレート３０を外部に図中Ａ矢印方向に引き出した際、これと連動してサブプレート４０が図２中矢印Ｂで示す方向に回動することで、遮光範囲を拡大したことが特徴である。
【００２３】
次いで、スライドプレート３０とサブプレート４０の具体的な構成について、図３を基に説明する。まず、スライドプレート３０は、ＰＰ樹脂等の汎用の合成樹脂板からなり、ほぼ長方形状で、引き出し端縁３０ａ側がサンバイザ本体２０の端縁形状に合わせた形状に設定されている。尚、所望ならば、スライドプレート３０のサンバイザ展開時、乗員と対向する面側に織布、不織布等の表皮を貼着して、サンバイザ本体２０と同一外観となるようにしても良い。
【００２４】
そして、このスライドプレート３０の背面側には、サブプレート４０の支持機構として、支持ピン３１がスライドプレート３０の引き出し端縁３０ａと反対側の端縁３０ｂの下部に突設され、更に、ほぼ中央部にガイドピン３２が突設形成されている。
【００２５】
一方、サブプレート４０は、引き出し方向の略中央部に最大高さ寸法をもつストッパー部４０ａが形成され、このストッパー部４０ａを境界として、サブプレート４０の前後側の端縁部はそれぞれ傾斜縁部４０ｂ，４０ｃに形成され、図示する異形状に造形されている。また、サブプレート４０には、スライドプレート３０の支持ピン３１を挿入する取付孔４１が開設されるとともに、ガイドピン３２を挿入してガイドするための三日月状のガイド孔４２が開設されている。
【００２６】
上記サブプレート４０についても、ＰＰ樹脂等の合成樹脂板で構成され、所望ならば、スライドプレート３０同様、正面側、すなわちスライドプレート３０と接する面側に織布、不織布シートを貼付して外観上の一体感を付与するようにしても良い。
【００２７】
また、スライドプレート３０に設けた支持ピン３１をサブプレート４０の取付孔４１内に挿入させた状態で、両者間にバネ力を付加するためにネジリコイルバネ５０の巻回部５０ａを支持ピン３１に嵌め入れ、このネジリコイルバネ５０の一方端５０ｂをスライドプレート３０の係止孔３３に係止するとともに、ネジリコイルバネ５０の他方端５０ｃをサブプレート４０の係止孔４３に係止することで、ネジリコイルバネ５０のバネ力をサブプレート４０の回動方向に作用させる。
【００２８】
本発明に係るスライドプレート付きサンバイザ１０は、以上のように構成されているため、スライドプレート３０及びサブプレート４０がサンバイザ本体２０の格納用凹部２３内に収納されている状態においては、サブプレート４０のストッパー部４０ａがサンバイザ本体２０の格納用凹部２３の上面に突き当り、サブプレート４０の回動が行なわれない状態で保持され、このとき、スライドプレート３０のガイドピン３２は、サブプレート４０のガイド孔４２の上端末４２ａに位置している。
【００２９】
そして、図２に示すように、スライドプレート３０を図中矢印Ａ方向にサンバイザ本体２０の格納用凹部２３から外部に引き出した際、スライドプレート３０と一体にサブプレート４０も引き出され、サブプレート４０のストッパー部４０ａがサンバイザ本体２０の格納用凹部２３の開口２３ａから外部にでたとき、ストッパーが解除された状態となり、ネジリコイルバネ５０のバネ力が作用し、図２中矢印Ｂ方向にサブプレート４０が回動する。すなわち、サブプレート４０のストッパー部４０ａより前方の傾斜縁部４０ｂがスライドプレート３０の上縁と略平行位置にくるように、サブプレート４０が回動する。このとき、スライドプレート３０のガイドピン３２は、サブプレート４０の三日月状のガイド孔４２を移動して、下端末４２ｂまで移行する。
【００３０】
従って、図２に示すように、スライドプレート３０の引き出し時には、サブプレート４０も上方に回動することで、従来、隙が生じていたスライドプレート３０の上方部分をサブプレート４０により遮蔽することができ、太陽光線等を有効に遮蔽することができ、安全走行に大きく貢献できる。
【００３１】
尚、スライドプレート３０をサンバイザ本体２０の格納用凹部２３内に格納操作すれば、サブプレート４０のストッパー部４０ａより後方の傾斜縁部４０ｃがサンバイザ本体２０の開口２３ａ縁部に押圧され、ネジリコイルバネ５０のバネ力に抗してサブプレート４０が矢印Ｂ方向と反対方向に回動することになり、結果的にスライドプレート３０の収納動作と連動して、サブプレート４０も図１に示す位置に自動的に収納されることになる。
【００３２】
次いで、図４，図５は、上述した本発明の第１実施形態の変形例を示すもので、ネジリコイルバネ５０に替えて、圧縮コイルバネ５１が使用されている。他の構成は、図１乃至図３と同一構成であるため、同一部分には同一符号を付し、その説明は省略する。
【００３３】
すなわち、図４から明らかなように、圧縮コイルバネ５１の一方端５１ａは、スライドプレート３０の受け座３４上に固定されるとともに、圧縮コイルバネ５１の他方端５１ｂは、サブプレート４０の受け座４４と当接するようにスライドプレート３０及びサブプレート４０の双方の受け座３４，４４間に圧縮コイルバネ５１を配置するという構成である。
【００３４】
従って、図５に示すように、矢印Ａ方向にスライドプレート３０をサンバイザ本体２０の格納用凹部２３から外部に引き出した際、圧縮コイルバネ５１の押圧力が作用し、図４中矢印Ｂ方向にサブプレート４０が回動することで、遮光面積を拡大することができる。尚、ネジリコイルバネ５０や圧縮コイルバネ５１に替えて、トーションバネ，線細工バネ等を使用することもできる。
【００３５】
次いで、図６乃至図８は、本発明に係るスライドプレート付きサンバイザ１０の第２実施形態を示す。図６，図７に示すように、スライドプレート３０は、この第２実施形態においては、分割プレート３０Ａ，３０Ｂを接合することで、中空ケース状のスライドプレート３０として形成されている。従って、分割プレート３０Ａ，３０Ｂを接合することで形成される中空部３５内にサブプレート４０を回動可能に収納できる。
【００３６】
このように、スライドプレート３０内部にサブプレート４０が回動可能に収納されているため、車内側及び車外側双方からの外観見栄えを向上させることができる。更に、図６，図７に示す構造のスライドプレート３０、サブプレート４０は左右対称であるため、運転席側及び補助席側のサンバイザに共用できる。
【００３７】
また、分割プレート３０Ａ，３０Ｂのそれぞれ対向面には、リブ３６を対向するように突設しておけば、サブプレート４０の回動操作時の支持機能が得られることから、ガタツキ等が生じることなく、サブプレート４０の円滑な回動動作が期待できる。また、スライドプレート３０の外側面に形成されるリブ３７は、サンバイザ本体２０の格納用凹部２３内面に設けたガイドリブ２４と当接させることで、スライドプレート３０のスライド操作性が確保できる。尚、図中符号３８は、スライドプレート３０の引き出し端部を構成するフランジである。
【００３８】
また、図８に示すように、中空ケース状のスライドプレート３０を構成する各分割プレート３０Ａ，３０Ｂの接合部として薄肉ヒンジ部３９を使用し、薄肉ヒンジ部３９を基に分割プレート３０Ａ，３０Ｂを折り畳み接合することで、中空ケース状のスライドプレート３０の成形が簡単に行なえる。
【００３９】
【発明の効果】
以上説明した通り、本発明に係るスライドプレート付きサンバイザは、スライドプレートの一面側（背面側）に重合するサブプレートを設け、このサブプレートをスライドプレートに対して回動可能で、かつスライドプレートの上側縁からはみ出す方向にバネ付勢するように組み付けるという構成であるため、サンバイザ本体からスライドプレートを引き出し操作すれば、それと連動して、サブプレートがスライドプレートの上側縁から外部にはみ出すように回動し、従来、遮蔽が困難であったスライドプレートの上方部分に位置し、遮光面積を拡大させることができ、安全走行に大きく貢献できるという効果を有する。
【図面の簡単な説明】
【図１】本発明に係るスライドプレート付きサンバイザの第１実施形態におけるスライドプレートの格納状態を示す正面図である。
【図２】図１に示すスライドプレート付きサンバイザにおけるスライドプレートを引き出した状態を示す正面図である。
【図３】図１に示すスライドプレート付きサンバイザにおけるスライドプレートとサブプレートの関係を示す分解斜視図である。
【図４】図１に示すスライドプレート付きサンバイザの変形例を示すスライドプレートとサブプレートの分解斜視図である。
【図５】図４に示すスライドプレート付きサンバイザにおけるスライドプレートを引き出した状態を示す正面図である。
【図６】本発明に係るスライドプレート付きサンバイザの第２実施形態におけるスライドプレートとサブプレートの関係を示す説明図である。
【図７】図６に示すスライドプレートの構成を示す断面図である。
【図８】図６に示すスライドプレートの変形例を示す斜視図である。
【図９】従来のスライドプレート付きサンバイザを示す正面図である。
【図１０】従来のスライドプレート付きサンバイザにおけるスライドプレートを引き出した状態を示す正面図である。
【符号の説明】
１０　スライドプレート付きサンバイザ
２０　サンバイザ本体
２１　回動用シャフト
２２　ブラケット
２３　格納用凹部
２３ａ　開口
２４　ガイドリブ
３０　スライドプレート
３０Ａ，３０Ｂ　分割プレート
３１　支持ピン
３２　ガイドピン
３３　係止孔
３４　受け座
３５　中空部
３６　リブ
３７　リブ
３８　フランジ
３９　薄肉ヒンジ部
４０　サブプレート
４０ａ　ストッパー部
４０ｂ，４０ｃ　傾斜縁部
４１　取付孔
４２　ガイド孔
４３　係止孔
４４　受け座
５０　ネジリコイルバネ
５１　圧縮コイルバネ
【図１】
2004050940.tif 000003
【図２】
2004050940.tif 000004
【図３】
2004050940.tif 000005
【図４】
2004050940.tif 000006
【図５】
2004050940.tif 000007
【図６】
2004050940.tif 000008
【図７】
2004050940.tif 000009
【図８】
2004050940.tif 000010
【図９】
2004050940.tif 000011
【図１０】
2004050940.tif 000012